(57)【要約】  本発明は、ＣＲＴ（１）のテンションマスクアッセンブリ（１０）に使用する向上した振動ダンパー（４６）を提供する。この向上した振動ダンパーは、テンションマスク（３０）の端部に沿って設けられており、支持フレーム（２０）に取り付けられている。振動ダンパーは、境界（３６）に沿ったテンションマスクの表面に取り付けられた第１端部と第２端部を有する延伸ストリップ部材で構成されている。第１端部と第２端部との間に配されている延伸ストリップ部材の実質部分は、マスクにより誘導された振動を受けるべく、テンションマスクに振動接触している。
2005514740.tif 000002
【特許請求の範囲】
【請求項１】
主軸に平行な長側（２２、２４）と短軸（２６、２８）に平行な短側とを有する支持フレーム（２０）に取付られたテンションマスク（３０）を有するＣＲＴ（１）であって、
前記テンションマスクは、該テンションマスクの境界（３６）に沿った個々の取付位置（４８、１４８）に取付られた第１端部及び第２端部を有する伸張ストリップ部材と、該テンションマスクからの振動を受け入れるように前記の端部間の境界と摩擦接触している表面の主要部分と、を備えた振動ダンパーを有しており、前記境界は、前記短側の近傍で平行に存在していることを特徴とするＣＲＴ（１）。
【請求項２】
前記第１端部及び前記第２端部との間に配された隆起部分（４３）をさらに備えたことを特徴とする請求項１に記載の、振動ダンパーを有する、支持フレームに取付られたテンションマスクを有するＣＲＴ。
【請求項３】
前記取付位置は、前記支持フレームの個々の支持ブレード部材（４０）の近傍に配置され、
前記ブレード部材は、前記長側の近傍で平行に存在していることを特徴とする請求項１に記載の、振動ダンパーを有する、支持フレームに取付られたテンションマスクを有するＣＲＴ。
【請求項４】
前記取付位置は、前記支持フレームの少なくとも一つの個々の支持ブレード部材から離れて配置されていることを特徴とする請求項１に記載の、振動ダンパーを有する、支持フレームに取付られたテンションマスクを有するＣＲＴ。
【請求項５】
前記境界は、開口部（４４）を有し、これを介して、前記振動ダンパーが、前記境界の反対側に配置された支持プレート（５０）に取り付けられていることを特徴とする請求項１に記載の、振動ダンパーを有する、支持フレームに取付られたテンションマスクを有するＣＲＴ。
【請求項６】
前記振動ダンパーは、接着剤により前記支持プレートに取り付けられていることを特徴とする請求項５に記載の、振動ダンパーを有する、支持フレームに取付られたテンションマスクを有するＣＲＴ。
【請求項７】
前記振動ダンパーは、ピン（１５２）により前記支持プレートに取り付けられていることを特徴とする請求項６に記載の、振動ダンパーを有する、支持フレームに取付られたテンションマスクを有するＣＲＴ。
【請求項８】
前記振動ダンパーは、前記境界の開口部（４４）を介して固定されていることを特徴とする請求項１に記載の、振動ダンパーを有する、支持フレームに取付られたテンションマスクを有するＣＲＴ。
【請求項９】
前記開口部を介し、且つ、前記境界の反対側に沿って延びているベント部分（４９）をさらに有することを特徴とする請求項８に記載の、振動ダンパーを有する、支持フレームに取付られたテンションマスクを有するＣＲＴ。
【請求項１０】
主軸に平行な長側（２２、２４）と短軸（２６、２８）に平行な短側とを有する支持フレーム（２０）に取付られたテンションマスク（３０）を有するＣＲＴ（１）であって、前記テンションマスクは、
該テンションマスクの境界（３６）に沿った表面に取り付けられた第１端部及び第２端部と、前記境界から振動を受け入れるように前記境界の前記表面に作用する実質部分と、を有する伸張ストリップ部材；を備えた振動ダンパーを有し、
前記伸張ストリップ部材は、前記第１端部と前記第２端部との間に配置された隆起部分（４３）を有している、
ことを特徴とするＣＲＴ。
【請求項１１】
前記第１端部及び前記第２端部は、前記支持フレームの支持ブレード部材の近傍に取り付けられており、
前記ブレード部材は、前記長側の近傍に平行に存在している、
ことを特徴とする請求項１０に記載の、振動ダンパーを有する、支持フレームに取付られたテンションマスクを有するＣＲＴ。
【請求項１２】
前記第１端部及び前記第２端部は、前記支持フレームの支持ブレード部材から離れた位置において、前記テンションマスクに取り付けられていることを特徴とする請求項１０に記載の、振動ダンパーを有する、支持フレームに取付られたテンションマスクを有するＣＲＴ。
【請求項１３】
前記テンションマスクは、さらに開口部（４４）を有し、これを介して、前記振動ダンパーは、前記境界の反対側に配置された指示プレート（５０）に取り付けられていることを特徴とする請求項１０に記載の、振動ダンパーを有する、支持フレームに取付られたテンションマスクを有するＣＲＴ。
【請求項１４】
前記振動ダンパーは、接着剤により前記支持プレートに取り付けられていることを特徴とする請求項１３に記載の、振動ダンパーを有する、支持フレームに取付られたテンションマスクを有するＣＲＴ。
【請求項１５】
前記振動ダンパーは、ピン（１５２）により前記支持プレートに取り付けられていることを特徴とする請求項１３に記載の、振動ダンパーを有する、支持フレームに取付られたテンションマスクを有するＣＲＴ。
【請求項１６】
前記振動ダンパーは、前記境界の開口部（４４）を介して固定されていることを特徴とする請求項１０に記載の、振動ダンパーを有する、支持フレームに取付られたテンションマスクを有するＣＲＴ。
【請求項１７】
前記開口部を介し、且つ、前記テンションマスクの反対側に沿って延びているベント部分（４９）をさらに備えていることを特徴とする請求項１６に記載の、振動ダンパーを有する、支持フレームに取付られたテンションマスクを有するＣＲＴ。
【発明の詳細な説明】
【発明の詳細な説明】
【０００１】
（本発明の技術分野）
本発明は、一般的に、陰極線管（ＣＲＴ）に関し、特に、テンションマスクに適用された振動ダンパーを有するテンションマスクアッセンブリに関する。
【０００２】
（本発明の背景技術）
カラー陰極線管又はＣＲＴは、電子ビームを形成し、３つの電子ビームをこの管のスクリーンに投射するための電子銃を有している。このスクリーンは、陰極線管のフェースプレートパネルの内部表面上に配置されており、三原色の発光蛍光体の要素のアレイにて製造されている。形成マスク又はストランドを有するテンションマスクのいずれかであってもよいシャドーマスクは、電子銃とスクリーンとの間に配置されている。電子銃から放射された電子ビームは、シャドーマスクのアパチャーを通過し、スクリーンに投射し、上記の蛍光体を発光させ、画像をフェースプレートパネルの視野表面上に表示する。
【０００３】
ＣＲＴの一つのタイプは、ストランドのセットを備えるテンションマスクを有しており、外部励起下で、大きな振幅にて振動する傾向を減弱すべく、マスク支持フレーム上にて伸張されている。かかる振動は、スクリーン上への、グロスの電子ビームの誤投射を生じる可能性があり、ＣＲＴの観察者に好ましくない画像の不調をもたらすであろう。
【０００４】
マスクを伸張する一つの方法は、テンションマスクの主軸に平行なフレームの反対側に取り付けられた支持ブレード部材のペアを有するマスク支持フレームを利用することである。このテンションマスクは、支持ブレード部材間で延びており、振動するというその傾向を減弱すべく張力をもって保持されている。このマスクを支持する支持ブレード部材は、外部からの振動又はマイクロフォンの振動がフレームに適用される際、フレームに相対して振動するという問題が存在している。かかる外部からの振動は、テンションマスクへと望ましくなく移行される可能性がある。
【０００５】
（本発明の概略）
本発明は、テンションマスクと、テンションマスクからの振動を受け入れる振動ダンパーとを有するＣＲＴを提供する。このテンションマスクは、支持フレームに取り付けられており、この支持フレームは、主軸に平行な長側（２２、２４）と、短軸（２６、２８）に平行な短側とを有している。テンションマスクは、短側の近傍に存在し、それに平行な境界を有している。振動ダンパーは、上記の境界及びこの境界に振動接触している主要部分に沿って、個々の取り付け位置に取り付けられた第１端部及び第２端部を有する延伸ストリップ部材を備えている。
【０００６】
（図面の簡単な説明）
添付した図面に関する参照文にて、例示することにより、本発明を述べる。
【０００７】
（本発明の詳細な説明）
図１は、ガラスエンベロープ２を有する陰極線管１を示しており、フェースプレートパネル３と、ファンネル５により接続された管状ネック４とを備えている。ファンネル５は、内部導電性コーティング（図示せず）を有しており、アノードボタン６からフェースプレートパネル３に向かって管状ネック４へと延びている。フェースプレートパネル３は、視野フェースプレート８及び周辺フランジ又は側壁９を備えており、ガラスフリット７によりファンネル５にシールされており。三原色蛍光スクリーン１２は、フェースプレートパネル３の内部表面により移動される。スクリーン１２は、三つ組みに配置された蛍光体ラインを有するラインスクリーンであって、この三つ組みのそれぞれは、三原色のそれぞれの蛍光体ラインを有している。テンションマスク支持フレームアッセンブリ１０は、スクリーン１２に対して所定の配置関係にて移動可能に取り付けられている。図１にて破線にて概略的に示した電子銃１３は、管状ネック４内部に取り付けられ、３つのインライン電子ビーム、中央ビーム及び二つの側面又は外部ビームを、テンションマスク支持フレームアッセンブリ１０からスクリーン１２へと集束路に沿って発生する。
【０００８】
ＣＲＴ１は、ファンネル−ネック接続部の近傍に示した外部磁気偏向ヨーク１４に使用されるべく設計されている。活性化された際、ヨーク１４は、３つのビームを磁場へと指向し、スクリーン１２に対して、方形ラスターにおいて、垂直又は水平にビームを走査させる。
【０００９】
図２に示したテンションマスク支持フレームアッセンブリ１０は、フレーム２０と、フレーム２０に取り付けられた支持ブレード部材４０のペアを有している。このフレームは、二つの長側２２、２４及び二つの短側２６、２８で構成されており、テンションマスク３０を支持すべく平面に配置されている。フレーム２０の二つの長側２２及び２４は、ＣＲＴの中央主軸Ｘに平行であり、二つの短側２６及び２８は、ＣＲＴの中央短軸Ｙに平行である。支持ブレード部材４０は、ブレード端部４２に沿って支持ブレード部材４０を支持すべく、長側２２、２４に沿って取り付けられている。テンションマスク３０は、示すために簡略化して、フラット平坦表面として図２に示されている。しかしながら、これは、図３に最も良好に部分的に示されている複数のアパチャー３２で構成されている。
【００１０】
ここで、図３を参照すると、テンションマスク支持フレームアッセンブリ１０の拡大部分が示されている。テンションマスク３０は、典型的に、スチールやインバールなどの材料の薄シートで形成され、複数のストランド３２を形成すべく、エッチング又はその他の処理を施される。このストランドの反対側に配置されている境界３６は、鋳造により、端部４２において支持ブレード部材４０のそれぞれに取り付けられている。このストランド３２は、短軸Ｙに平行に延び、且つ、複数のクロスワイヤー３４はもまた導電性であり、且つ、ストランド３２から絶縁されており、且つ、主軸Ｘに平行に延びている。クロスワイヤー３２及びストランド３４の組み合わせは、正確に配置された複数のアパチャー３５を形成し、そこを介して、電子銃１３からスクリーン１２へと通過する電子ビームが通過する。テンションマスクは、支持ブレード部材４０間に強固に取り付けられ且つ伸張されているが、短軸Ｙに沿って強固な支持体は存在しない。従って、テンションマスク３０は、支持ブレード部材４０からテンションマスク３０への振動の移行にいくらか影響を受けやすい。
【００１１】
本発明は、少なくとも一つの振動ダンパー４６を使用することにより、かかる振動を軽減することを含んでおり、振動ダンパー４６は、短軸Ｙに平行に且つ、長側２２、２４に実質的に延びている、テンションマスク３０の境界３６に沿って設けられている。簡便のため、一つの振動ダンパー４６のみにて述べているが、好適実施例は、振動ダンパー４６のペアを含み、それぞれは、テンションマスク３０の反対側に沿って配置され、ダンパー４６は、短軸Ｙに沿って延びていることを理解されるべきである。振動ダンパー４６は、伸張ストリップ部材であって、取付部位４８において、境界３６のそれぞれに取り付けられている。この伸張ストリップ部材は、テンションマスク３０の境界３６に沿って表面に取り付けられた第１端部及び第２端部を有しており、実質部分は、境界３６の表面にて機能している。この第１端部及び第２端部は、取付部位４８において、境界３６の表面に取り付けられている。この取り付けは、好ましくは鋳造により実行されるが、接着剤又はその他の適切な技術による取付も含んでいる。ここでは、振動ダンパー４６は、テンションマスク３０のスクリーンに面する側に沿って取り付けられているように示されているが、テンションマスク３０の反対側の電子銃に面する側に代替的に適用されてもよいことを理解すべきである。両側に固定されている振動ダンパー４６は、取付部位４８間の表面の実質部分に沿って、テンションマスク３０に摩擦接触している。テンションマスク３０は、振動する傾向にあるので、この振動は、境界３６の摩擦に由来する摩擦に起因して、このダンパーにて減弱（ｄａｍｐｅｄ）され、且つ、振動ダンパー４６に沿って歪みエネルギーを誘導される。テンションマスク３０の振動エネルギーは、ウェブ型マスクにおけるタイズバー（ｔｉｅｓ  ｂａｒ）又はストランドマスクにおけるクロスワイヤーのいずれかにより、境界３６に伝達されてもよい。振動ダンパー４６は、振動に対するこれら部材間の摩擦を増加すべく、テンションマスク３０に接する側面上に適用された粗面を任意で有していてもよい。
【００１２】
振動ダンパー４６の材料は、テンションマスク３０とは異なる熱膨張係数を有すべく任意で選択されてもよい。かかる材料の選択は、追加の伸張又は脱伸張が、熱循環中、テンションマスク３０の短軸Ｙに沿って必要とされる場合に好適である。振動ダンパー４６はテンションマスク３０に適用されているように示されているが、シャドーマスク、伸張タイバーマスク、フォーカスマスク及びその他のタイプのマスクに同等にて適用可能であることも理解されるべきである。
【００１３】
図４は、取付部位１４８が、支持ブレード部材４０の内側に移動されていることを除いては、図３に示したのと実質的に同様な振動ダンパー４６に関する第１の代替実施例を示している。
【００１４】
図５及び図６は、テンションマスク３０における開口部４４を介して、振動ダンパー４６に締め付けられている支持プレート５０の適用により、振動ダンパー４６がテンションマスク３０に固定されている第２の代替実施例を示している。最も良好に図６に示すように、接着剤５２は、開口部４４内部の取付部位１４８において、振動ダンパー４６に適用されている。支持プレート５０は、その後、テンションマスク３０の反対側に適用され、振動ダンパー４６と支持プレート５０との間のテンションマスク３０をはさむべく、開口部４４を介して接着剤５２に接している。この実施例におけるそれぞれにおいて理解されるべきことは、支持プレート５０が、振動ダンパー４６の反対側に配置される一方で、振動ダンパー４６は、テンションマスク３０の電子銃に向かい合う側面又はスクリーンに向かい合う側面のいずれに配されてもよいということである。
【００１５】
第３の代替実施例は、図７に示されており、支持プレート５０は、開口部４４の周囲の振動ダンパー４６の反対側に同様に配置されている。しかしながら、この実施例において、取付部位１４８に接着剤５２を適用することに換えて、ピン１５２は、支持プレート５０を振動ダンパー４６に固定するのに利用されている。再び述べるが、この実施例におけるそれぞれにおいて理解されるべきことは、支持プレート５０が、振動ダンパー４６の反対側に配置される一方で、振動ダンパー４６は、テンションマスク３０の電子銃に向かい合う側面又はスクリーンに向かい合う側面のいずれに配されてもよいということである。
【００１６】
図９及び図１０は、第４の代替実施例を示しており、ここで、振動ダンパー４６は、開口部４４を介した部分を単に曲げることにより、テンションマスク３０に適用されている。最も良好に図１０に示されているように、ベント部分４９は、開口部４４を介して、テンションマスク３０の反対側の近傍に延び、振動ダンパー４６のベント部分４９とその残りの部分との間のテンションマスク３０をはさんでいる。この実施例においてそのそれぞれにおいて理解されるべきことは、支持プレート５０が、振動ダンパー４６の反対側に配置される一方で、振動ダンパー４６は、テンションマスク３０の電子銃に向かい合う側面又はスクリーンに向かい合う側面のいずれに配されてもよいということである。
【００１７】
図１１は、さらに、第４の代替実施例を示しており、隆起部分４３は、振動ダンパー４６に形成されている。ここで、隆起部分４３は、振動ダンパー４６から外側に延びて、且つ、テンションマスク３０に沿った取付部位４８の近傍に配置されている半円形の隆起セクションを備えている。隆起部分４３は、異なる熱膨張係数を有する材料が、振動ダンパー４６に利用されている場合に特に有用である。隆起部分４３は、取付部位４８に対する過剰な剪断応力を適用することなく、熱循環中、振動ダンパー４６がテンションマスク３０に沿って膨張することを可能とすべく機能している。隆起部分４３は、伸張ストリップ部材の構造的な全体を弾力的に保持している。隆起部分４３は、上述した代替実施例のいずれにも任意で適用可能であることを理解されるべきである。
【００１８】
有利に、振動ダンパー４６は、その表面の実質部分全体に対して、テンションマスク３０と摩擦接触しているので、短軸に沿ったテンションマスク３０の振動減弱を向上させるべく機能する。
【図面の簡単な説明】
【００１９】
【図１】テンションマスク支持フレームアッセンブリを示すＣＲＴの断面図である。
【図２】テンションマスク支持フレームアッセンブリに関する斜視図である。
【図３】図２に示した底部角部分における部分斜視図である。
【図４】図３と同様の部分斜視図であって、第１の代替実施例である。
【図５】図３及び図４と同様の部分斜視図であって、本発明における第２の代替実施例である。
【図６】図５の線６−６に沿って見た断面図である。
【図７】図３と同様の部分断面図であって、本発明における第３の代替実施例である。
【図８】図７の線８−８に沿って見た断面図である。
【図９】図３と同様の部分斜視図であって、本発明における第３の代替実施例を示している。
【図１０】図９の線１０−１０に沿って見た断面図である。
【図１１】本発明の第５の代替実施例に関する断面図である。
【図１】
2005514740.tif 000003
【図２】
2005514740.tif 000004
【図３】
2005514740.tif 000005
【図４】
2005514740.tif 000006
【図５】
2005514740.tif 000007
【図６】
2005514740.tif 000008
【図７】
2005514740.tif 000009
【図８】
2005514740.tif 000010
【図９】
2005514740.tif 000011
【図１０】
2005514740.tif 000012
【図１１】
2005514740.tif 000013
【国際調査報告】
2005514740.tif 000014
2005514740.tif 000015
2005514740.tif 000016